(57)【要約】      （修正有）【課題】ガス火炎を外部に漏洩するのを防止して保温性が良好で熱効率がよく、火傷や着衣に引火する心配がなく、かつ煮こぼれや風による消炎がないガスコンロのガスバーナー覆い装置を提供する。【解決手段】ガスバーナー３を囲むゴトク４の受部材４Ｂに差し込み嵌合されてガスコンロＧ上に設けられる、円筒状の内、外側カバーＣＩ，ＣＯとよりなり、それらの内、外側カバーＣＩ，ＣＯには、内、外側通気孔１２，２２がそれぞれ形成され、内側カバーＣＩの内方と、外側カバーＣＯの外方とが内、外側通気孔１２，２２を通して連通される。【選択図】図３
0003144236.tif 000002
【実用新案登録請求の範囲】
【請求項１】
ガスコンロ（Ｇ）のトッププレート（２）上に、そのガスバーナー（３）を取り囲むように設けられる、ガスコンロのガスバーナー覆い装置であって、
上下面を開放した筒状に形成される、内側カバー（ＣＩ）および外側カバー（ＣＯ）よりなり、
前記内側カバー（ＣＩ）は、ガスバーナー（３）を囲むゴトク（４）の複数の受部材（４Ｂ）と着脱可能に嵌合される複数の内側スリット（１１）と、それらの内側スリット（１１）間にそれぞれ設けられる複数の内側通気孔（１２）を有して前記トッププレート（２）上に載置され、
また、前記外側カバー（ＣＯ）は、前記ゴトク（４）の複数の受部材（４Ｂ）と着脱可能に嵌合される複数の外側スリット（２１）と、それらの外側スリット（２１）間にそれぞれ設けられる複数の外側通気孔（２２）を有して、前記内側カバー（ＣＩ）の外側に通気空間（Ｓ）を存して前記トッププレート（２）上に載置され、
内側カバー（ＣＩ）内方のガス火炎空間（Ｆ）が、内側通気孔（１２）、通気空間（Ｓ）および外側通気孔（２２）を通して外部に連通されることを特徴とする、ガスコンロのガスバーナー覆い装置。
【請求項２】
前記内側および外側カバー（ＣＩ，ＣＯ）は、耐熱強化ガラスにより構成されることを特徴とする、前記請求項１記載のガスコンロのガスバーナー覆い装置。
【請求項３】
前記内側および外側カバー（ＣＩ，ＣＯ）は、透明体により構成されることを特徴とする、前記請求項１または２記載のガスコンロのガスバーナー覆い装置。
【考案の詳細な説明】
【技術分野】
【０００１】
本考案は、火傷、着衣への引火などの危険がなく安全であり、また煮こぼれ液の浸入による消炎の心配がなく、かつガス火炎の外部への漏出を抑えて熱効率を大幅に向上させた、ガスコンロのガスバーナー覆い装置に関する。
【背景技術】
【０００２】
従来、火傷の危険がなく、また、調理中に着衣に引火する心配のないガスコンロは公知である（後記特許文献１、２参照）。
【特許文献１】特開平１０−２８６１８２号公報
【特許文献２】特開平７−３１８０６５号公報
【考案の開示】
【考案が解決しようとする課題】
【０００３】
ところが、従来のガスコンロは、いずれもガスコンロ自体の構造を変更したものであって、既存のガスコンロには適用できないばかりか、構造が複雑でコスト高を招くになるという問題がある。
【０００４】
本考案はかかる実情に鑑みてなされたもので、既存のガスコンロに適用することができ、しかも、火傷、着衣への引火などの危険がなく安全であり、また煮こぼれ液の浸入による消炎の心配がなく、かつガス火炎の外部への漏出を抑えて熱効率を大幅に向上させ、前記問題を解決した、新規なガスコンロの覆い装置を提供することを目的とする。
【課題を解決するための手段】
【０００５】
前記目的を達成するために、請求項１記載の考案は、ガスコンロのトッププレート上に、そのガスバーナーを取り囲むように設けられる、ガスコンロのガスバーナー覆い装置であって、
上下面を開放した筒状に形成される、内側カバーおよび外側カバーよりなり、前記内側カバーは、ガスバーナーを囲むゴトクの複数の受部材と着脱可能に嵌合される複数の内側スリットと、それらの内側スリット間にそれぞれ設けられる複数の内側通気孔を有して前記トッププレート上に載置され、また、前記外側カバーは、前記ゴトクの複数の受部材と着脱可能に嵌合される複数の外側スリットと、それらの外側スリット間にそれぞれ設けられる複数の外側通気孔を有して、前記内側カバーの外側に通気空間を存して前記トッププレート上に載置され、内側カバー内方のガス火炎空間が、内側通気孔、通気空間および外側通気孔を通して外部に連通されることを特徴としている。
【０００６】
また、目的を達成するために、請求項２記載の考案は、前記請求項１記載のものにおいて、前記内側および外側カバー体は、耐熱強化ガラスにより構成されることを特徴としている。
【０００７】
さらに、目的を達成するために、請求項３記載の考案は、前記請求項１または２記載のものにおいて、前記内側および外側カバー体は、透明体により構成されることを特徴としている。
【考案の効果】
【０００８】
請求項各項記載の考案によれば、既存のガスコンロに容易に適用することができる。また、ガス火炎を外部に漏洩させることなく、しかも断熱性がよく燃効率が大幅に高めることができる。また、内、外側カバー間の通気空間は、断熱空間として機能し、外側カバーがガス火炎により高温に加熱されることがなく、火傷をする心配がない。さらに、煮こぼれ液のガスバーナーへの浸入を防止し、ガス火炎の消炎を防ぐことができ、しかも風の影響でガス火炎の火力が低下することがなく、消炎することもない。
【０００９】
また、請求項２記載の考案によれば、内、外側カバーの加熱が軽減され、より安全である。
【００１０】
さらに、請求項３記載の考案によれば、ガス火炎の燃焼状態を外部から見やすくすることができる。
【考案を実施するための最良の形態】
【００１１】
本考案の実施の形態を、添付図面に例示した本考案の実施例に基づいて、以下に具体的に説明する。
【００１２】
まず、図１〜３を参照して本発明の第１実施例について説明する。
【００１３】
図１は本考案覆い装置を備えたガスコンロの斜視図、図２は、図１の２線矢視図、図３は、図２の３−３線に沿う断面図である。
【００１４】
この第１実施例は、本考案にかかるカバー装置、すなわち内側カバーＣＩおよび外側カバーＣＯを、ガスコンロＧ上のトッププレート２上に載置したのちに、それらにゴトク４を差し込み嵌合することにより組み付けられる。
【００１５】
卓上のガスコンロＧは、多数のガス炎口３Ａを周方向に開口した一対のガスバーナー３，３および各ガスバーナー３，３を取り囲むゴトク４，４を備えている。各ゴトク４，４は、ガスコンロＧの機函１のトッププレート２上に着脱可能に設けられ、ガスバーナー３を囲む支持リング４Ａと、その外周に等間隔をあけて固定される数個（４個）の受部材４Ｂ…とより構成されている。
【００１６】
各ガスバーナー３は、本考案にかかるカバー装置Ｃにより覆われ、このカバー装置Ｃは、以下に詳述する内側カバーＣＩおよび外側カバーＣＯよりなる。
【００１７】
前記内側カバーＣＩの主体部分は、上下面を開放した、円筒状の内側カバー本体１０よりなり、この内側カバー本体１０は、透明の耐熱強化ガラスにより作られ、ゴトク４の受部材４Ｂ…と略同じ高さに形成されており、その直径は、ゴトク４の横方向の全長よりも短い。内側カバー本体１０には、前記ゴトク４の複数の受部材４Ｂ…の周方向の間隔と同じ間隔をあけて複数（４つ）の内側スリット１１…が形成されており、これらの内側スリット１１…は、その上縁が開放されていて、ゴトクの受部材４Ｂ…がその上方から差し込み嵌合されるようにされている。また、内側カバー本体１０の上部には、前記内側スリット１１…間で、複数（４つ）の凹状の、内側通気孔１２…がそれぞれ開口されている。
【００１８】
一方、前記外側カバーＣＯも内側カバーＣＩと同じく、その主体部分は、上下面を開放した、円筒状の外側カバー本体２０よりなり、この外側カバー本体２０は、透明の耐熱強化ガラスにより作られ、ゴトク４の受部材４Ｂの略同じ高さに形成されており、その直径は、前記内側カバーＣＩよりも大径でゴトク４の横方向の全長よりも短い。外側カバー本体２０の周方向には、前記ゴトク４の複数の受部材４Ｂの周方向の間隔と同じ間隔をあけて複数（４つ）の外側スリット２１…が形成されており、これらの外側スリット２１…は、その上縁が開放されていて、ゴトク４の受部材４Ｂがその上方から差し込み嵌合されるようにされている。また、この外側カバーＣＯの下部には、複数の外側スリット２１…間において、周方向に略等間隔をあけて複数（４つ）のアーチ状の外側通気孔２２…が形成されている。
【００１９】
前記内側カバーＣＩと外側カバーＣＯよりなるカバー装置Ｃは、次のように、ガスコンロＧのトッププレート２上にセットされる。
【００２０】
(i)  図１、左側に示すように、ゴトク４を、トッププレート２より取り外す。
【００２１】
(ii) つぎに、図１、左側に示すように、内側カバーＣＩを、ガスバーナー３を囲んで
トッププレート２上に載置する。
【００２２】
(iii) つぎに、外側カバーＣＯを内側カバーＣＩの外側に、これと同心状に載置する。
このとき、内側カバーＣＩの、内側スリット１１…および内側通気孔１２…と、外側スリット２１…および外側通気孔２２…とをそれらの周方向に一致させる。
【００２３】
(iv) つぎに、前述のようにトッププレート２上に載置された内、外カバーＣＩ，ＣＯ
に、それらの上からゴトク４をセットする。すなわち、ゴトク４の複数の受部材４Ｂ…を、内、外カバーＣＩ，ＣＯの複数の内、外側スリット１１，２１にそれぞれ差し込み嵌合して、そのゴトク４の支持リング４Ａをガスバーナ３に嵌合する。
【００２４】
以上により、図１左側、図２，３に示すように、内、外側のカバーＣＩ，ＣＯは、ガスコンロＧのトッププレート２上にセットされ、このセット状態では、内、外側のカバーＣＩ，ＣＯは、それらの中央部にガスバーナー３を囲んでトッププレート２上に同心状に配置され、内側カバーＣＩの内側にはガス火炎空間Ｆが、また、内側カバーＣＩと外側カバーＣＯとの間には環状の通気空間Ｓが形成される（図２，３参照）。
【００２５】
次に、この第１実施例の作用について説明する。
【００２６】
いま、前述したように、内、外側カバーＣＩ，ＣＯをガスコンロＧ上にセットした状態において、ゴトク４の受部材４Ｂ上に鍋Ｐなどを載せる。このとき、図３に示すように、鍋Ｐの底は、ゴトク４の複数の受部材４Ｂで受けることができ、また内、外側カバーＣＩ，ＣＯの高さは、ゴトク４の受部材４Ｂ…と略同じ高さに形成されていることにより、それらの内、外側カバーＣＩ，ＣＯ上でも受けることができる。
【００２７】
ガスバーナー３のガス炎口３Ａから噴出するガス火炎は、内側カバーＣＩにより誘導されて鍋底に直接当てることができ、ガス火炎の外部への漏洩を極力抑えることができるので、熱効率よく、鍋Ｐなどを加熱することができる。また、図３に点線矢印に示すように、外部の空気は、外側カバーＣＯの複数の外側通気孔２２…より通気空間Ｓに入り、さらに、そこから内側カバーＣＩの複数の内側通気孔２１を通してガス火炎空間Ｆに導くことができ、ガス火炎の良好な燃焼が保障される。さらに、ガス火炎は、内、外カバーＣＩ，ＣＯにより遮られて外部に出ることがなく安全である。さらにまた、内、外側カバーＣＩ，ＣＯ間の通気空間Ｓは、断熱空間として機能し、外側カバーＣＯがガス火炎により高温に加熱されることがない。この外側カバーＣＯに手を触れても火傷をする心配がない。
【００２８】
しかして、本考案にかかるカバー装置Ｃの利点を列挙すれば次の通りである。
【００２９】
(1) ガス火炎は、内、外側カバーＣＩ，ＣＯにより遮断され、その外部に漏洩することがないので、火傷の危険がなく、また、調理中に着衣に引火する心配がない。また、子供などが内部に手を入れるのを防ぐことができ、また、外側カバーＣＯに手を触れても火傷の心配がない。
【００３０】
(2) ガス火炎の外部への漏洩が極力抑えられることにより、ガス火炎を鍋Ｐなどに直接当てることができ、しかも保温性がよく、熱効率が極めてよい。
【００３１】
(3) 内、外側通気孔１２，２２により、ガス火炎空間Ｆと外部と間の空気の流通が効率よく行われて、燃焼不良を生起する心配がない。
【００３２】
(4) 図３矢印にて示すように、鍋Ｐなどからの煮こぼれ液の内部、すなわちガスバーナー３への浸入を防止し、ガス火炎の消炎を防ぐことができる。
【００３３】
(5) 屋外で使用する場合などに、カバー装置Ｃは風防の作用をなし風の影響でガス火炎の火力が低下することがなく、消炎することもない。
【００３４】
(6) カバー装置Ｃの高さを、ゴトク４の高さと略同じにしてあることにより、鍋Ｐなどはゴトク４と内、外側カバーＣＩ，ＣＯにより受けることができ、鍋Ｐなどを安定支持できると共にゴトク４にかかる負荷を軽減できる。
【００３５】
(7) 内、外側のカバーＣＩ，ＣＯは、いずれも透明の強化耐熱ガラスにより構成されるので、ガス火炎の燃焼状態を外部から観察することができる。
【００３６】
(8) カバー装置Ｃを内、外側カバーＣＩ，ＣＯにより構成したことにより、それらの間に、断熱空間として機能する通気空間Ｓが形成されるので、外側カバーＣＯの加熱が極力抑えられ、該外側カバーＣＯに、手や体が触れて火傷の心配がなく安全である。
【００３７】
つぎに、図４〜６を参照して本考案の第２実施例について説明する。
【００３８】
図４は本考案覆い装置を備えたガスコンロの斜視図、図５は、図１の５線矢視図、図６は、図５の６−６線に沿う断面図である。
【００３９】
この第２実施例では、本考案にかかるカバー装置、すなわち内側カバーＣＩおよび外側カバーＣＯはあらかじめガスコンロＧ上に組み付けられているゴトク４を差し込み嵌合することによりセットされる。
【００４０】
この第２実施例では、内側カバーＣＩに形成される複数（４個）の内側スリット１１…は、内側カバー本体１０の下縁に開口され、また、外側カバーＣＯに形成される複数の外側スリット２１…は、外側カバー本体２０の下縁に開口されており、また、ゴトク４の複数（４個）の受部材４Ｂ…の上縁には、その長手方向に間隔をあけて内側および外側嵌込溝５…，６…が形成されている。そして、内側嵌込溝５…には、内側カバーＣＩの内側スリット１１…の上縁が、また外側嵌込溝６…には、外側カバーＣＯの外側スリット２１…がそれぞれ嵌め込まれるようにされている。
【００４１】
前記内側カバーＣＩと外側カバーＣＯよりなるカバー装置Ｃは、次のように、ガスコンロＧのトッププレート２上にセットされる。
【００４２】
（Ａ）図４に示すように、ゴトク４をあらかじめガスバーナー３にセットしておく。
【００４３】
（Ｂ）つぎに、内側カバーＣＩの内側スリット１１…を、ゴトク４の受部材４Ｂの中間部にその上方からそれぞれ差し込み嵌合し、その内側スリット１１…の上縁を内側嵌込溝５に嵌め込む。これにより、内側カバーＣＩは、ガスバーナー３と略同心状にガスコンロＧのトッププレート２上にセットされる。
【００４４】
（Ｃ）つぎに、外側カバー本体２０は、内側カバー本体１１の外側に、これと略同心円状に複数の外側スリット２１…をゴトク４の受部材４Ｂ…にその上方より差し込み嵌合し、その外側スリット２１…の上縁を外側嵌込溝６に嵌め込む。これにより、ゴトク４には、内側カバーＣＩと、外側カバーＣＯとが同心状にセットされる。このとき、内側カバーＣＩの内側通気孔１２…と、外側カバーＣＯの外側通気孔２２…とがそれらの周方向に一致する。
【００４５】
以上により、図４右側、図５，図６に示すように、内、外側のカバーＣＩ，ＣＯは、ガスコンロＧのトッププレート２上にセットされ、このセット状態では、内、外側のカバーＣＩ，ＣＯは、それらの中央部にガスバーナー３を囲んでトッププレート２上に同心状に配置され、内側カバーＣＯの内側にはガス火炎空間Ｆが、また、内側カバーＣＩと外側カバーＣＯとの間には環状の通気空間Ｓが形成される。
【００４６】
次に、この第２実施例の作用について説明する。
【００４７】
いま、前述したように、内、外側カバーＣＩ，ＣＯをガスコンロＧ上にセットした状態において、ゴトク４の受部材４Ｂ上に鍋Ｐなどを載せる。このとき、図６に示すように、鍋Ｐの底は、ゴトク４の複数の受部材４Ｂで受けることができ、また内、外側カバーＣＩ，ＣＯの高さは、ゴトク４の受部材４Ｂ…と略同じ高さに形成されていることにより、それらの内、外側カバーＣＩ，ＣＯ上でも受けることができる。
【００４８】
ガスバーナー３のガス炎口３Ａから噴出するガス火炎は、内側カバーＣＩにより誘導されて鍋底に直接当てることができ、ガス火炎の外部への漏洩を極力抑えることができるので、熱効率よく、鍋Ｐなどを加熱することができる。また、図６に点線矢印に示すように、外部の空気は、外側カバーＣＯの複数の外側通気孔２２…より通気空間Ｓに入り、さらに、そこから内側カバーＣＩの複数の内側通気孔２１を通してガス火炎空間Ｆに導くことができ、ガス火炎の良好な燃焼が保障される。さらに、ガス火炎は、内、外カバーＣＩ，ＣＯにより遮られて外部に出ることがなく安全である。さらにまた、内、外側カバーＣＩ，ＣＯ間の通気空間Ｓは、断熱空間として機能し、外側カバーＣＯがガス火炎により高温に加熱されることがない。この外側カバーＣＯに手を触れても火傷をする心配がない。
【００４９】
そして、この第２実施例のものも前記第１実施例の前記(1) 〜(8) と同じ利点がある。
【００５０】
以上、本考案の実施例について説明したが、本考案はその実施例に限定されることなく、本考案の範囲内で種々の実施例が可能である。
【００５１】
たとえば、前記実施例では、本考案を卓上ガスコンロに実施した場合を説明したが、他のガスコンロにも実施できることは勿論である。また、前記実施例では、内、外側カバーＣＩ，ＣＯをいずれも耐熱強化ガラスにより形成したが、内側カバーＣＩは、鋳鉄などの比較的廉価で、強度の高い材料により形成してもよく、そのようにすれば、カバー装置Ｃ全体の強度アップとそのコストダウンを図ることができる。
【００５２】
さらに、内、外側カバーＣＩ，ＣＯを着色したり、模様を施すことにより、意匠効果を高め、商品価値を向上させることができる。
【００５３】
さらにまた、前記実施例では、内、外側カバーＣＩ，ＣＯを円筒状に形成しているが、それらを多角筒状など他の筒状に形成してもよい。
【図面の簡単な説明】
【００５４】
【図１】本考案覆い装置を備えたガスコンロの斜視図
【図２】図１の２線矢視図
【図３】図２の３−３線に沿う断面図
【図４】本考案の第２実施例にかかる覆い装置を備えたガスコンロの斜視図
【図５】図４の５線矢視図
【図６】図５の６−６線に沿う断面図
【符号の説明】
【００５５】
２・・・・・・・・・トッププレート
３・・・・・・・・・ガスバーナー
４・・・・・・・・・ゴトク
４Ｂ・・・・・・・・受部材
１１・・・・・・・・内側スリット
１２・・・・・・・・内側通気孔
２１・・・・・・・・外側スリット
２２・・・・・・・・外側通気孔
ＣＩ・・・・・・・・内側カバー
ＣＯ・・・・・・・・外側カバー
Ｆ・・・・・・・・・ガス火炎空間
Ｇ・・・・・・・・・ガスコンロ
Ｓ・・・・・・・・・通気空間
【図１】
0003144236.tif 000003
【図２】
0003144236.tif 000004
【図３】
0003144236.tif 000005
【図４】
0003144236.tif 000006
【図５】
0003144236.tif 000007
【図６】
0003144236.tif 000008